(57)【要約】【課題】よりユーザーのニーズに沿った印刷物を得ることができる印刷装置を提供する。【解決手段】印刷装置は、名前データ取得部４２と、グループ分類部４３と、画像データ取得部４４と、コメントデータ生成部４５と、レイアウト作成部４６とを備える。グループ分類部４３は、名前データ取得部４２により取得された名前データを、第一のユーザーとの関係に応じて複数のグループに分類する。画像データ取得部４４は、グループ分類部４３により分類された名前データの属するグループに応じて、ネットワークを介して外部から画像データを取得する。コメントデータ生成部４５は、画像データ取得部４４により取得された画像データに対応するコメントデータを生成する。レイアウト作成部４６は、画像データ取得部４４により取得された画像データ、およびコメントデータ生成部４５により生成されたコメントデータを組み合わせた印刷画像のレイアウトを複数作成する。【選択図】図４
2017085389.tif 000002
【特許請求の範囲】
【請求項１】
ネットワークを介して外部から画像データを取得し、第一のユーザーから第二のユーザーへ配布する印刷物を印刷可能な印刷装置であって、
画像を用紙に印刷する印刷部と、
印刷要求を受け付ける印刷要求受け付け部と、
前記印刷要求受け付け部による前記印刷要求と共に、前記第二のユーザーの名前データを取得する名前データ取得部と、
前記名前データ取得部により取得された前記名前データを、前記第一のユーザーとの関係に応じて複数のグループに分類するグループ分類部と、
前記グループ分類部により分類された前記名前データの属するグループに応じて、前記ネットワークを介して外部から前記画像データを取得する画像データ取得部と、
前記画像データ取得部により取得された前記画像データに対応するコメントデータを生成するコメントデータ生成部と、
前記画像データ取得部により取得された前記画像データ、および前記コメントデータ生成部により生成された前記コメントデータを組み合わせた印刷画像のレイアウトを複数作成するレイアウト作成部と、
前記レイアウト作成部により作成された複数の前記印刷画像のレイアウトを表示するよう制御する表示制御部と、
前記表示制御部により表示された複数の前記印刷画像のレイアウトの中からいずれかを選択させる選択部と、
前記選択部により選択された前記印刷画像のレイアウトで前記印刷部により印刷を行うよう制御する印刷制御部とを備える、印刷装置。
【請求項２】
複数の定型のコメントデータを記憶する記憶部をさらに備え、
前記コメントデータ生成部は、前記記憶部により記憶された複数の前記定型のコメントデータからいずれかを抽出して前記コメントデータを生成する、請求項１に記載の印刷装置。
【請求項３】
前記画像データ取得部は、ＳＮＳを利用して前記画像データを取得する、請求項１または２に記載の印刷装置。
【請求項４】
前記グループ分類部は、前記印刷要求を行うユーザーとの親密度合いに応じて、前記名前データを分類する、請求項１〜３のいずれか１項に記載の印刷装置。
【請求項５】
前記レイアウト編集部は、前記画像データおよび前記コメントデータが配置されない領域に余白を設けて前記レイアウトを編集する、請求項１〜４のいずれか１項に記載の印刷装置。
【発明の詳細な説明】
【技術分野】
【０００１】
この発明は、印刷装置に関するものである。
【背景技術】
【０００２】
複合機等に代表される印刷装置においては、画像データを基に、画像形成部に備えられる感光体に対して光を照射し、感光体上に静電潜像を形成する。その後、形成した静電潜像の上に帯電した現像剤を供給して可視画像とした後、用紙に転写して定着させ、装置外に排出して印刷する。
【０００３】
ここで、印刷装置において、インターネット等のネットワークを介して画像データを取り込んで画像を形成する技術が、特開２０１４−７５７７８号公報（特許文献１）に開示されている。
【先行技術文献】
【特許文献】
【０００４】
【特許文献１】特開２０１４−７５７７８号公報
【発明の概要】
【発明が解決しようとする課題】
【０００５】
特許文献１によると、サーバーに格納された画像の中から所定の画像を選択し、合成画像を作成することとしている。しかし、このような構成では、画像を合成した合成画像を印刷するのみであり、ユーザーのニーズに必ずしも沿っているとは言い難い。
【０００６】
この発明の目的は、よりユーザーのニーズに沿った印刷物を得ることができる印刷装置を提供することである。
【課題を解決するための手段】
【０００７】
この発明の一の局面においては、印刷装置は、ネットワークを介して外部から画像データを取得し、第一のユーザーから第二のユーザーへ配布する印刷物を印刷可能である。印刷装置は、印刷部と、印刷要求受け付け部と、名前データ取得部と、グループ分類部と、画像データ取得部と、コメントデータ生成部と、レイアウト作成部と、表示制御部と、選択部と、印刷制御部とを備える。印刷部は、画像を用紙に印刷する。印刷要求受け付け部は、印刷要求を受け付ける。名前データ取得部は、印刷要求受け付け部による印刷要求と共に、第二のユーザーの名前データを取得する。グループ分類部は、名前データ取得部により取得された名前データを、第一のユーザーとの関係に応じて複数のグループに分類する。画像データ取得部は、グループ分類部により分類された名前データの属するグループに応じて、ネットワークを介して外部から画像データを取得する。コメントデータ生成部は、画像データ取得部により取得された画像データに対応するコメントデータを生成する。レイアウト作成部は、画像データ取得部により取得された画像データ、およびコメントデータ生成部により生成されたコメントデータを組み合わせた印刷画像のレイアウトを複数作成する。表示制御部は、レイアウト作成部により作成された複数の印刷画像のレイアウトを表示するよう制御する。選択部は、表示制御部により表示された複数の印刷画像のレイアウトの中からいずれかを選択させる。印刷制御部は、選択部により選択された印刷画像のレイアウトで印刷部により印刷を行うよう制御する。
【発明の効果】
【０００８】
このような印刷装置によると、画像データについては、名前データの属するグループにネットワークを介して外部から取得することとしている。コメントデータについては、取得された画像データに応じて生成することとしている。そして、画像データとコメントデータとを合成して、画像を形成することとしている。したがって、このような印刷装置によれば、よりユーザーのニーズに沿った印刷物を得ることができる。
【図面の簡単な説明】
【０００９】
【図１】この発明の一実施形態に係る印刷装置を複合機に適用した場合の複合機の外観を示す概略図である。
【図２】図１に示す複合機を含む印刷システムの構成を示すブロック図である。
【図３】操作部の構成を示す図である。
【図４】制御部の構成を示すブロック図である。
【図５】複合機を用いて、送り元のユーザーである第一のユーザーから送り先のユーザーである第二のユーザーへの年賀状の印刷をする場合の処理の流れを示すフローチャートである。
【図６】表示画面の一例を示す図である。
【図７】ハードディスクにおいて、分けられた三つのグループを示す概念図である。
【図８】表示画面の一例を示す図である。
【発明を実施するための形態】
【００１０】
以下、この発明の実施の形態を説明する。図１は、この発明の一実施形態に係る印刷装置を複合機に適用した場合の複合機の外観を示す概略図である。図２は、図１に示す複合機を含む印刷システムの構成を示すブロック図である。
【００１１】
図１および図２を参照して、複合機１１は、制御部１２と、操作部１３と、画像読み取り部１４と、画像形成部１５と、用紙セット部１９と、排出トレイ３０と、データを格納する格納部としてのハードディスク１６と、ファクシミリ通信部１７と、ネットワーク２５と接続するためのネットワークインターフェース部１８とを備える。
【００１２】
制御部１２は、複合機１１全体の制御を行う。操作部１３は、複合機１１側から発信する情報やユーザーの入力内容を表示する表示画面２１を含む。操作部１３は、印刷部数や階調性等の画像形成の条件や電源のオンまたはオフをユーザーに入力させる。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。なお、画像読み取り部１４は、後述する印刷された捺印用用紙の画像も読み取る。用紙セット部１９は、手差しで用紙をセットする手差しトレイ２８やサイズの異なる複数枚の用紙を収納可能な給紙カセット群２９を含む。用紙セット部１９は、画像形成部１５に供給する用紙をセットさせる。画像形成部１５は、画像読み取り部１４により読み取られた画像やネットワーク２５を介して送信された画像データを基に、搬送されてきた用紙に画像を形成する。画像形成部１５により画像を形成された用紙は、排出トレイ３０に排出される。ハードディスク１６は、送信された画像データや入力された画像形成条件等の格納を行う。ファクシミリ通信部１７は、公衆回線２４に接続されており、ファクシミリ送信やファクシミリ受信を行う。
【００１３】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、図１に示すように、この実施形態においては、給紙カセット群２９は、３つの給紙カセット２３ａ、２３ｂ、２３ｃから構成されている。
【００１４】
複合機１１は、画像読み取り部１４により読み取られた原稿の画像データを用いて画像形成部１５において画像を形成することにより、複写機として作動する。また、複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を用紙に印刷する印刷部として作動する。複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。複合機１１は、画像処理に関し、複写機能、プリンター機能、ファクシミリ機能等、複数の機能を有する。さらに、各機能に対しても、詳細に設定可能な機能を有する。
【００１５】
この発明の一実施形態に係る複合機１１を含む印刷システム２７は、上記した構成の複合機１１と、ネットワーク２５を介して複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、複合機１１に対して、ネットワーク２５を介して印刷要求を行って印刷をすることができる。
【００１６】
なお、複合機１１は、ユーザーの印刷要求に応じて、ネットワーク２５を介して外部から画像データを取得して印刷することができる。複合機１１は、例えば、年賀状の印刷に利用されるものであり、年賀状の送り元である第一のユーザーから年賀状の送り先である第二のユーザーへ配布する印刷物としての年賀状を印刷することができる。
【００１７】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号をユーザーに入力させるテンキー３１と、印刷の開始やファクシミリ送信の開始を指示させるスタートキー３２と、複合機１１の電源のオンまたはオフを入力させる電源キー３３と、複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００１８】
次に、制御部１２の構成について説明する。図４は、制御部１２の構成を示すブロック図である。図４を参照して、制御部１２は、印刷要求を受け付ける印刷要求受け付け部４１と、名前データ取得部４２と、グループ分類部４３と、画像データ取得部４４と、コメントデータ生成部４５と、レイアウト作成部４６と、表示制御部４７と、選択部４８と、印刷制御部４９とを含む。名前データ取得部４２は、印刷要求受け付け部４１による印刷要求と共に、第二のユーザーの名前データが入力される。グループ分類部４３は、名前データ取得部４２により入力された名前データを、第一のユーザーとの関係に応じて複数のグループに分類する。画像データ取得部４４は、グループ分類部４３により分類された名前データの属するグループに応じて、ネットワーク２５を介して外部から画像データを取得する。コメントデータ生成部４５は、画像データ取得部４４により取得された画像データに対応するコメントデータを生成する。レイアウト作成部４６は、画像データ取得部４４により取得された画像データ、およびコメントデータ生成部４５により生成されたコメントデータを組み合わせた印刷画像のレイアウトを複数作成する。表示制御部４７は、レイアウト作成部４６により作成された複数の印刷画像のレイアウトを表示するよう制御する。選択部４８は、表示制御部４７により表示された複数の印刷画像のレイアウトの中からいずれかを選択させる。印刷制御部４９は、選択部４８により選択された印刷画像のレイアウトで印刷部としての画像形成部１５で印刷を行うよう制御する。
【００１９】
次に、この複合機１１を用いて、送り元のユーザーである第一のユーザーから送り先のユーザーである第二のユーザーへの年賀状の印刷をする場合の処理の流れについて説明する。図５は、複合機１１を用いて、送り元のユーザーである第一のユーザーから送り先のユーザーである第二のユーザーへの年賀状の印刷をする場合の処理の流れを示すフローチャートである。
【００２０】
図５を参照して、まず、第一のユーザーは、第一のユーザーの名前でログインを完了した後、複合機１１に対して、年賀状の印刷の要求を行う。印刷要求受け付け部４１は、第一のユーザーからの印刷要求を受け付ける（図５において、ステップＳ１１、以下、「ステップ」を省略する）。
【００２１】
この時、送り元のユーザーである第一のユーザーは、送り先のユーザーである第二のユーザーの宛名、すなわち、名前のデータを操作部１３の表示画面２１を介して入力する。図６は、この場合の表示画面２１の一例を示す図である。図６を参照して、表示画面２１には、「年賀状の印刷をしますか？」との問い合わせのメッセージ５１と、「はい」と表記されており、押下により年賀状の印刷を行うモードに移行する選択キー５２ａと、「いいえ」と表記されており、押下により年賀状の印刷をキャンセルする選択キー５２ｂと、「宛名を入力してください。」とのメッセージ５３と、宛名、すなわち、年賀状の送り先である第二のユーザーの名前を入力させる名前入力領域５４とが示されている。
【００２２】
ユーザーは、「はい」と表記された選択キー５２ａを押下し、操作部１３のテンキー３１等を利用して、名前入力領域５４に名前を入力する。
【００２３】
名前入力領域５４により名前が入力され、名前データ取得部４２が第二のユーザーの名前データを取得すると（Ｓ１２において、ＹＥＳ）、グループ分類部４３は、入力された名前のデータを親密度に応じて分けられたいずれかのグループに分類する（Ｓ１３）。
【００２４】
図７は、ハードディスク１６において、親密度に応じて分けられた三つのグループを示す概念図である。図７を参照して、ハードディスク１６の格納領域には、最も親しい親密度Ａ１のグループ５５ａとして、「ＸＸＸ」の名前データや「ＹＹＹ」の名前データがグループ分けされている。また、ある程度親しい親密度Ａ２のグループ５５ｂとして、「ＺＺＺ」の名前データや「ＷＷＷ」の名前データがグループ分けされている。また、あまり親しくない親密度Ａ３のグループ５５ｃとして、「ＶＶＶ」の名前データや「ＵＵＵ」の名前データがグループ分けされている。グループ５５ａには、例えば、第二のユーザーが第一のユーザーの親しい友人である場合に分類され、グループ５５ｂには、例えば、第二のユーザーが第一のユーザーの単なる友人である場合に分類され、グループ５５ｃには、例えば、第二のユーザーが第一のユーザーの会社の上司や部下である場合に分類される。
【００２５】
その後、分類されたグループ５５ａ〜５５ｃに応じて、ネットワーク２５を介して、画像データを取得する（Ｓ１４）。この場合、第二のユーザーが第一のユーザーに対して、例えば、親密度合いが高く、親密度Ａ１のグループ５５ａに分類されているのであれば、インターネット上のＳＮＳ（ソーシャルネットワークサービス）で得られる画像データのうち、第一のユーザーと一緒に写っている第二のユーザーの写真の画像データを検索する。この場合、顔認識機能を利用して画像データを検索する。そして、さらに第一のユーザーと第二のユーザーとが笑顔で写っているものを取得する。また、分類された結果、親密度Ａ２のグループ５５ｂに分けられた場合、単に第一のユーザーと第二のユーザーとの二人が写っている写真の画像データを取得する。分類された結果、親密度Ａ３のグループ５５ｃに分けられた場合、第一または第二のユーザーの顔写真の画像データではなく、年賀状に沿う門松やその年の干支の画像データを、インターネット上から検索して取得する。
【００２６】
次に、分類されたグループ５５ａ〜５５ｃに応じた画像データを取得した後に、コメントデータ生成部４５は、画像データに対応するコメントデータを生成する（Ｓ１５）。コメントデータについては、複数の文字から構成されており、以下のようにして生成する。すなわち、親密度Ａ１のグループ５５ａに分類され、取得された画像データが旅行先の写真画像であった場合、旅行に関連したコメントデータを生成する。具体的には、「今年もよろしくお願いします。また、行きたいね。」といったコメントデータを生成する。また、取得された画像データが第一のユーザーと第二のユーザーが写ると共に、食べ物に関する画像データであると判別された場合、「今年もよろしくお願いします。また、食べに行きたいね。」といったコメントデータを生成する。この場合、ＳＮＳのやり取りで、賛同が得られたコメントを考慮してコメントデータを生成してもよい。さらには、第二のユーザー名を生成されるコメントに入れることにしてもよい。また、画像データに位置情報が含まれている場合には、この位置情報に基づくコメントデータを生成してもよい。
【００２７】
コメントデータを生成した後、レイアウト作成部４６は、取得された画像データ、および生成されたコメントデータを基に、印刷画像のレイアウトを複数作成する（Ｓ１６）。すなわち、画像データおよびコメントデータの配置を異ならせた印刷前の画像データを複数作成する。なお、この場合、レイアウト作成部４６は、画像データおよびコメントデータが配置される領域以外の領域に余白を作成する。そして、表示制御部４７は、複数作成した印刷画像レイアウトを表示画面２１に表示するよう制御する（Ｓ１７）。
【００２８】
図８は、この場合の表示画面２１の一例を示す図である。図８を参照して、表示画面２１には、第一の印刷画像レイアウト５６ａと、第二の印刷画像レイアウト５６ｂと、第三の印刷画像レイアウト５６ｃとが表示されている。第一の印刷画像レイアウト５６ａは、「レイアウト１」との表記５７ａの図８における下方領域において、左上領域に画像データ５８ａが配置され、右上領域にコメントデータ５９ａが配置される構成となっている。第二の印刷画像レイアウト５６ｂは、「レイアウト２」との表記５７ｂの図８における下方領域において、右上領域に画像データ５８ｂが配置され、左上領域にコメントデータ５９ｂが配置される構成となっている。第三の印刷画像レイアウト５６ｃは、「レイアウト３」との表記５７ｃの図８における下方領域において、左上領域に画像データ５８ｃが配置され、画像データ５８ｃの下方領域にコメントデータ５９ｃが配置される構成となっている。
【００２９】
第一のユーザーは、表示画面２１に表示された第一〜第三の印刷画像レイアウト５６ａ〜５６ｃを見比べて、最も良いと思われるものの印刷画像レイアウト５６ａ〜５６ｃの位置を押下する。このようにして、選択部４８は、いずれかの印刷画像レイアウト５６ａ〜５６ｃを選択させる（Ｓ１８）。
【００３０】
その後、選択されたいずれかの印刷画像レイアウト５６ａ〜５６ｃに基づいて、印刷制御部４９は、印刷を行うよう制御する（Ｓ１９）。すなわち、画像形成部１５を利用して、例えば、手差しトレイ２８にセットされた年賀状用の用紙に印刷を行う。
【００３１】
このような構成の複合機１１によれば、画像データ５８ａ〜５８ｃについては、名前データの属するグループ５５ａ〜５５ｃに応じて、ネットワーク２５を介して外部から取得することとしている。コメントデータについては、取得された画像データ５８ａ〜５８ｃに応じて生成することとしている。そして、画像データ５８ａ〜５８ｃとコメントデータ５９ａ〜５９ｃとを合成して、画像を形成することとしている。したがって、このような複合機１１によれば、よりユーザーのニーズに沿った画像を形成することができる。
【００３２】
この場合、画像データ取得部４４は、ＳＮＳを利用して画像データを取得しているため、より適切な画像を取得することができる。
【００３３】
また、この場合、レイアウト作成部４６は、画像データ５８ａ〜５８ｃおよびコメントデータ５９ａ〜５９ｃが配置される領域以外の領域に余白を作成することとしているため、この余白部分に、手書きで第一のユーザー自身のコメントを追記することができる。したがって、よりユーザーのニーズに沿った印刷物とすることができる。
【００３４】
なお、上記の実施の形態においては、画像データ取得部４４は、ＳＮＳを用いて画像データを取得することとしたが、これに限らず、画像データ取得部４４は、ネットワーク２５を介して接続されたコンピューター２６ａ〜２６ｃや図示しないサーバーから画像データを取得するようにしてもよい。
【００３５】
また、上記の実施の形態において、グループ分類部４３は、印刷要求を行うユーザーとの親密度合いに応じて、名前データを分類することとしたが、これに限らず、名前データの分類については、例えば、会社内における所属関係や役職関係を根拠としてグループの分類を行うこととしてもよい。
【００３６】
なお、上記の実施の形態において、ハードディスク１６は、複数の定型のコメントデータを記憶しておき、コメントデータ生成部４５は、ハードディスク１６により記憶された複数の定型のコメントデータからいずれかを抽出してコメントデータ５９ａ〜５９ｃを生成するようにしてもよい。こうすることにより、より効率的にコメントデータ５９ａ〜５９ｃを生成することができる。
【００３７】
また、上記の実施の形態において、レイアウト作成部４６は、余白を設けない印刷画像レイアウト５６ａ〜５６ｃを作成することにしてもよい。また、レイアウト作成部４６により作成された印刷画像レイアウト５６ａ〜５６ｃを、印刷前に第一のユーザー自身の手によって編集可能な構成としてもよい。この場合、コメントデータの編集や画像データの加工等を行える構成としてもよい。
【００３８】
なお、上記の実施の形態において、コンピューター２６ａ〜２６ｃから印刷要求を行うこともできる。この場合、例えば、表示制御部４７は、表示画面２１ではなく、コンピューター２６ａ〜２６ｃに接続された図示しないディスプレイ上に、印刷画像レイアウト５６ａ〜５６ｃを表示するようにしてもよい。
【００３９】
また、上記の実施の形態においては、年賀状印刷を行う場合について説明したが、これに限らず、第一のユーザーから第二のユーザーに配布する印刷物を印刷する場合について適用される。
【００４０】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４１】
この発明に係る印刷装置は、よりユーザーのニーズに沿った印刷が要求される場合に、特に有効に利用される。
【符号の説明】
【００４２】
１１  複合機、１２  制御部、１３  操作部、１４  画像読み取り部、１５  画像形成部、１６  ハードディスク、１７  ファクシミリ通信部、１８  ネットワークインターフェース部、１９  用紙セット部、２１  表示画面、２２  ＡＤＦ、２３ａ，２３ｂ，２３ｃ  給紙カセット、２４  公衆回線、２５  ネットワーク、２６ａ，２６ｂ，２６ｃ  コンピューター、２７  印刷システム、２８  手差しトレイ、２９  給紙カセット群、３０  排出トレイ、３１  テンキー、３２  スタートキー、３３  電源キー、３４  メニューキー、３５  登録キー、３６  リセットキー、４１  印刷要求受け付け部、４２  名前データ取得部、４３  グループ分類部、４４  画像データ取得部、４５  コメントデータ生成部、４６  レイアウト作成部、４７  表示制御部、４８  選択部、４９  印刷制御部、５１，５３  メッセージ、５２ａ，５２ｂ  選択キー、５４  名前入力領域、５５ａ，５５ｂ，５５ｃ  グループ、５６ａ，５６ｂ，５６ｃ  印刷画像レイアウト、５７ａ，５７ｂ，５７ｃ  表記、５８ａ，５８ｂ，５８ｃ  画像データ、５９ａ，５９ｂ，５９ｃ  コメントデータ。
【図１】
2017085389.tif 000003
【図２】
2017085389.tif 000004
【図３】
2017085389.tif 000005
【図４】
2017085389.tif 000006
【図５】
2017085389.tif 000007
【図６】
2017085389.tif 000008
【図７】
2017085389.tif 000009
【図８】
2017085389.tif 000010